(57)【要約】【課題】１つまたは各固定エレメントを固定する際に比較的に高い安定性を特徴とする装置を提供する。【解決手段】少なくとも２つの層（２，３，６３）を備え、かつ支持アセンブリ（４；３８，３９；５５，５６）を備えるラミネート構造体（１）に、長手方向に延在する少なくとも１つの固定エレメント（８，２５，４０，５７）を固定するための装置であって、前記支持アセンブリとは前記固定エレメント（８，２５，４０，５７）が遊び無しで結合されており、該支持アセンブリはラミネート構造体（１）の２つの層（２，３）の間に配置するように構成されている装置において、前記支持アセンブリ（４；３８，３９；５５，５６）は、前記少なくとも１つの固定エレメント（８，２５，４０，５７）を半径方向外側で少なくとも部分的に周方向に取り囲む突き出たリブ構造部（５；４１，４２；５８，５９）を有する。【選択図】図１
2017514072.tif 000002
【特許請求の範囲】
【請求項１】
少なくとも２つの層（２，３，６３）を備え、かつ支持アセンブリ（４；３８，３９；５５，５６）を備えるラミネート構造体（１）に、長手方向に延在する少なくとも１つの固定エレメント（８，２５，４０，５７）を固定するための装置であって、前記支持アセンブリとは前記固定エレメント（８，２５，４０，５７）が遊び無しで結合されており、該支持アセンブリはラミネート構造体（１）の２つの層（２，３）の間に配置するように構成されている装置において、
前記支持アセンブリ（４；３８，３９；５５，５６）は、前記少なくとも１つの固定エレメント（８，２５，４０，５７）を半径方向外側で少なくとも部分的に周方向に取り囲む突き出たリブ構造部（５；４１，４２；５８，５９）を有する、ことを特徴とする装置。
【請求項２】
前記リブ構造部（５；４１，４２；５８，５９）は、互いに角度を成して配向された直線状の複数のリブ部分（９，１０，１１，１２）を有しており、該リブ部分は周方向に延在している、ことを特徴とする請求項１に記載の装置。
【請求項３】
前記リブ構造部（５；４１，４２；５８，５９）は、少なくとも１つの固定エレメント（８，２５，４０，５７）を周回して閉鎖するよう取り囲んでいる、ことを特徴とする請求項１または２に記載の装置。
【請求項４】
前記支持アセンブリ（４；３８，３９；５５，５６）は、リブ構造部（５；４１，４２；５８，５９）の半径方向外側に補強斜面部（２１）を有しており、
該補強斜面部によってリブ構造部（５；４１，４２；５８，５９）に隣接する支持アセンブリ（４；３８，３９；５５，５６）の中間領域（２２）と該中間領域（２２）の半径方向で外側にある縁部領域（２３）とは異なる平面に配置されている、ことを特徴とする請求項２または３に記載の装置。
【請求項５】
前記支持アセンブリは、ワンピースの基板プレート（４）により形成されている、ことを特徴とする請求項１から４のいずれか一項に記載の装置。
【請求項６】
前記支持アセンブリは、固定エレメント（８，２５，４０，５７）が接続された内側プレート（３８；５５）と、該内側プレート（３８；５５）を半径方向外側で取り囲み、部分的に該内側プレート（３８；５５）と重なる外側プレート（３９；５６）とによって形成されている、ことを特徴とする請求項１から４のいずれか一項に記載の装置。
【請求項７】
前記内側プレート（３８；５５）と前記外側プレート（３９；５６）は、それぞれ１つの上側リブ（４２；５８）と下側リブ（４１；５９）を有しており、該上側リブと下側リブは共にリブ構造部（４１，４２；５８，５９）を形成する、ことを特徴とする請求項６に記載の装置。
【請求項８】
前記内側プレート（５５）と前記外側プレート（５６）は、軸方向に互いに間隔を置いて配置可能である、ことを特徴とする請求項６または７に記載の装置。
【請求項９】
前記内側プレート（３８；５５）と前記外側プレート（３９；５６）は、接続構造部（４８；５０，５１；６１，６２）を介して互いに接続可能である、ことを特徴とする請求項６から８のいずれか一項に記載の装置。
【請求項１０】
前記接続構造部は、外側プレート（３９）に形成された受け入れ舌片（５１）によって形成されており、該受け入れ舌片は半径方向で内側に突き出ており、かつ前記内側プレート（３８）を後方から把持する、ことを特徴とする請求項９に記載の装置。
【請求項１１】
前記接続構造部は、内側プレート（３８）に形成され、かつ軸方向に突き出た受け入れウェブ（５０）を有しており、該受け入れウェブには外側プレート（３９）に形成されたそれぞれ１つの受け入れ舌片（５１）が係合する、ことを特徴とする請求項１０に記載の装置。
【請求項１２】
前記接続構造部は、複数の折り返し舌片（６１）および該折り返し舌片（６１）の数に対応する数の差込切欠部（６２）を有する、ことを特徴とする請求項９に記載の装置。
【請求項１３】
前記支持アセンブリ（４；３８，３９；５５，５６）は、軸方向に突き出る起立舌片（１３，１５，２９，３０，３１，３４，３５，５１，６４）を有する、ことを特徴とする請求項１から１２のいずれか一項に記載の装置。
【請求項１４】
前記支持アセンブリは、軸方向に突き出ており規則的に配置された係合小突起（２０）を有する、ことを特徴とする請求項１から１３のいずれか一項に記載の装置。
【請求項１５】
前記支持アセンブリ（４；３８，３９；５５，５６）は、押圧リング（１９，３２）を固定するために複数の固定舌片（１５，３１）を有する、ことを特徴とする請求項１から１４のいずれか一項に記載の装置。
【請求項１６】
前記少なくとも１つの固定エレメント（８，２５，４０，５７）は、軸方向に突き出るよう構成されている、ことを特徴する請求項１から１５のいずれか一項に記載の装置。
【発明の詳細な説明】
【技術分野】
【０００１】
本発明は、少なくとも１つの固定エレメントを、少なくとも２つの層を有するラミネート構造体に固定するための請求項１の上位概念による装置に関する。
【背景技術】
【０００２】
この種の装置は特許文献１から公知である。ボルトとして構成された長手の固定エレメントを、２つの層を有するラミネート構造体に固定するための公知の装置は、刻印された突起により形成された支持プレートを支持アセンブリとして有しており、該支持アセンブリとは固定エレメントが遊び無しで結合されており、該支持アセンブリはラミネート構造体の２つの層の間に配置するように構成されている。
【０００３】
特許文献２から、天井カバーシートを固定するための波打ったプレートが公知である。このプレートは、緩いねじ留めを実施するために設けられた中央孔の周囲に該孔を中心に同心に周回する複数の波状リングを有する。
【先行技術文献】
【特許文献】
【０００４】
【特許文献１】GB 1 ,096,812 A
【特許文献２】US 6,665,991 B2
【発明の概要】
【発明が解決しようとする課題】
【０００５】
本発明の基礎とする課題は、１つまたは各々の固定エレメントを固定する際に比較的に高い安定性を特徴とする冒頭に述べた形式の装置を提供することである。
【課題を解決するための手段】
【０００６】
この課題は、冒頭に述べた形式の装置において本発明により、請求項１の特徴部分によって解決される。
【発明を実施するための形態】
【０００７】
本発明の支持アセンブリが、１つまたは少なくとも１つの長手の固定エレメントを半径方向外側で少なくとも部分的に周方向に、すなわち固定エレメントによって設定される半径方向に対して角度を成す成分をもって取り囲む突き出たリブ構造部を有することにより、支持アセンブリの比較的に高い曲げ剛性によって、リブ構造部により取り囲まれる固定エレメントの領域に高い固定安定性が得られる。
【０００８】
本発明のさらなる有利な構成は従属請求項の対象である。
【０００９】
本発明のさらなる有利な構成および利点は、図面を参照した本発明の実施例の以下の説明から得られる。
【図面の簡単な説明】
【００１０】
【図１】ラミネート構造体に固定された本発明の一装置の第１実施例の断面斜視図である。
【図２】ラミネート構造体に固定された第１実施例の斜視図である。
【図３】ラミネート構造体に固定された第１実施例の第１発展形態の断面斜視図である。
【図４】図３による第１実施例の第１発展形態を部分切開した平面図である。
【図５】ラミネート構造体に固定された第１実施例の第２発展形態の斜視図である。
【図６】図５による第１実施例の第２発展形態を部分切開した平面図である。
【図７】ラミネート構造体に固定された第１実施例の第３発展形態の斜視図である。
【図８】図７による第１実施例の第３発展形態の下側を部分切開した平面図である。
【図９】ラミネート構造体に固定された第１実施例の第４発展形態の斜視図である。
【図１０】図９による第１実施例の第４発展形態を部分切開して下から見た平面図である。
【図１１】図９による第１実施例の第４発展形態を部分切開した側面図である。
【図１２】本発明による装置の第２実施例の、ラミネート構造体に固定された支持アセンブリの斜視図である。
【図１３】図１２によるアセンブリの斜視図である。
【図１４】支持アセンブリに取り付けられたボルトを固定エレメントとして有する、ラミネート構造体に固定された第２実施例の断面斜視図である。
【図１５】ラミネート構造体に固定された第２実施例の第１変形形態の斜視図である。
【図１６】ラミネート構造体に固定された第２実施例の第２変形形態の斜視図である。
【図１７】ラミネート構造体に固定された第２実施例の第１発展形態の断面斜視図である。
【図１８】図１７による第２実施例の第１発展形態の断面斜視図である。
【図１９】ラミネート構造体に固定された第２実施例の第２発展形態の断面図である。
【図２０】図１９による第２実施例の第２発展形態を部分切開した斜視図である。
【図２１】ラミネート構造体に固定された第２実施例の第３発展形態の断面図である。
【図２２】図２１による第２実施例の第３発展形態を部分切開した斜視図である。
【図２３】ラミネート構造体に固定された第２実施例の第４発展形態の断面斜視図である。
【図２４】図２３による第２実施例の第４発展形態を部分切開した斜視図である。
【図２５】ラミネート構造体に固定された第２実施例の第５発展形態の断面斜視図である。
【図２６】図２５による第２実施例の第５発展形態を部分切開した斜視図である。
【図２７】ラミネート構造体に固定された本発明の装置の第３実施例の断面斜視図である。
【図２８】第３実施例を部分切開した断面斜視図である。
【図２９】第３実施例を部分切開した平面図である。
【図３０】第３実施例の第１発展形態を部分切開した平面図である。
【図３１】ラミネート構造体に固定された図３０による第３実施例の第１発展形態の断面側面図である。
【図３２】ラミネート構造体に固定された図２７による第３実施例の第２発展形態の断面斜視図である。
【図３３】図３２による第３実施例の第２変形形態の内側プレートの斜視図である。
【図３４】図３２による第３実施例の第２変形形態の外側プレートの斜視図である。
【図３５】内側プレートと外側プレートがつなぎ合わされたアセンブリにおいて図３２による第３実施例の第２変形形態を部分切開した斜視図である。
【図３６】ラミネート構造体に固定された本発明の装置の第４実施例の断面斜視図である。
【図３７】図３６による第４実施例の内側プレートの斜視図である。
【図３８】図３６による第４実施例の外側プレートの斜視図である。
【実施例】
【００１１】
図１は、第１のラミネートカバー層２と第２のラミネートカバー層３を有するラミネート構造体１の断面斜視図である。ラミネートカバー層２，３は、例えばガラス繊維または炭素繊維から織られたマットであり、これらの繊維はラミネート構造体１を形成するために樹脂が含浸されており、樹脂は引き続き硬化されている。
【００１２】
さらに図１には、支持体アセンブリとして基板プレート４を有する本発明の一装置の第１実施例が示されており、前記基板プレートはラミネートカバー層２，３の間に配置されている。基板プレート４は第１実施例では、湾曲したリブ５によってリブ構造部として構成されており、該リブ構造部は中央領域の周囲を周回して閉じるように構成されている。リブ５は、中央に配置された内側部分６と該内側部分６の半径方向で外側にある外側部分７との間にあり、基板プレート４の片側で、内側部分６と外側部分７の両方が存在する平面を越えて隆起している。図１に示した第１実施例でリブ５は、内側部分６と外側部分７（のなす平面）を越えて（端面が）円形に湾曲して構成されている。
【００１３】
さらに図１によれば、内側部分６の中には（固定エレメントの）長手方向に伸長する固定エレメントとして円筒形の固定ボルト８が遊び無しで、好ましくは基板プレート４に堅固に取り付けられており、この固定ボルトはリブ５により半径方向で外側が取り囲まれていることが分かる。固定ボルト８はリブ５と同じ方向に基板プレート４の内側部分６および外側部分７を越えて起立しており、滑らかな壁として構成されているか、または外ネジが設けられている。固定ボルト８は、図１に示した第１実施例では、基板プレート４のリブ５の隆起部分を有する側に配置された第１のラミネートカバー層２を突き通している。
【００１４】
さらに図１から、ラミネートカバー層２，３は基板プレート４の外側部分７の半径方向外側で互いに当接しており、ラミネート構造体１を形成する際に互いに堅固に結合されていることが分かる。一方、ラミネートカバー層は、基板プレート４の領域では基板プレート４の外側を形状的に結合して覆っており、したがって基板プレート４および該基板プレート４と堅固に結合された固定ボルト８も、実質的に遊び無しでラミネート構造体１に固定されており、あるいはこれと結合されている。
【００１５】
図２は、図１による第１実施例の斜視図を示す。図２から、リブ５はこの実施例では、同じ長さの４つの直線状のリブ部分９，１０，１１，１２から形成されていることが分かる。これらのリブ部分は周方向に、すなわち中央に配置された固定ボルト８により規定される半径方向に対して角度を成して対で互いに直角に配向されており、丸められたコーナ領域では互いに当接し、固定ボルト８を正方形の基本形により閉鎖してカゴ状に取り囲む。
【００１６】
リブ５により形成されたリブ構造部を形成することにより、基板プレート４の高い曲げ剛性が得られる。ここでは力、とりわけ固定ボルト８に作用する折曲力のラミネート構造体１への比較的均等な導入が達成される。さらにリブ５の配向は、ラミネート構造体１のいわゆる０度／９０度繊維構造（0 Grad / 90 Grad - Gelege）においてラミネートカバー層２，３の繊維方向に対して平行ないし直角である。有利な剛性配分により、中央における剛性が比較的に大きくなる。このことは、固定ボルトとは反対側のラミネートカバー層３の解離を回避し、外側縁部における剛性の低下を柔軟性によって層剥離に対して予防する。
【００１７】
図３は、ラミネート構造体１に固定された第１実施例の一発展形態を斜視図に示す。第１実施例の第１発展形態および第１実施例自体において、互いに対応するエレメントには同じ参照符号が付してあり、さらに詳細には説明しない。図３の第１実施例の第１変形形態では、内側部分６とリブ５の移行領域に複数の直線状の起立舌片（Ausstellzungen）１３が形成されており、これらの起立舌片は、内側部分６から半径方向で外側に向かって延在しており、基板プレート４のリブ５とは反対の側で内側部分６を越えて突き出ている。直線状の起立舌片１３は、接着性を高めながら基板プレート４のこの側に配置された第２のラミネートカバー層３に係合し、さらに基板プレート４とラミネートカバー層２，３との間に領域的な解離現象が発生する場合、または基板プレート４の縁部領域においてラミネートカバー層２，３の間の接続がもはや十分に安定しない場合、基板プレート４をとりわけ横方向のずれに対して確保する。
【００１８】
起立舌片１３は、後でラミネート構造体１になる繊維予成形層（textilen Preformlage）上での本発明の装置の予固定も保証する。これにより該装置は、予成形品と共に工具に搬送される際、および引き続き工具内で樹脂が含浸される際にラミネート構造体１上でその位置を固定したままとなる。このことは、同様のすべての実施例および変形例に対しても相応に当てはまる。
【００１９】
図４は、図３による第１実施例の第１発展形態を部分切開した平面図である。図４から、直線状の起立舌片１３がリブ５の丸められたコーナ領域に配置されており、基板プレート４に形成された舌片クリアランス部１４内にあることが分かる。さらに図４から、第１実施例の第１発展形態および図１による第１実施例自体の基板プレート４は外周が円形に構成されていることが分かる。
【００２０】
図５は、ラミネート構造体１に固定された第１実施例の第２発展形態を斜視図に示す。ここで第１実施例の第２発展形態および第１実施例の第１発展形態並びに第１実施例自体において、互いに対応するエレメントには同じ参照符号が付してあり、さらに詳細には説明しない。図５による第１実施例の第２発展形態では、折り曲げられた複数の起立舌片１５が設けられており、これらの起立舌片は内側部分６から半径方向で外側に、内側部分６ないし外側部分７を越えて最も隆起した頂点まで延在しており、リブ５に向かい内側部分６と外側部分７が存在する平面を越えて突き出ている。折り曲げられた起立舌片１５は、内側部分６に接続されたそれぞれ１つの起立部分１６と、該起立部分１６の内側部分６とは反対の側にある終端部分１７とを有しており、該終端部分は起立部分１６に対してリブ５の方向に逆に折り曲げられており、第２のラミネートカバー層３の外側に当接している。
【００２１】
図６は、図５による第１実施例の第２発展形態を部分切開した平面図である。図６から、第１実施例の第１発展形態の直線状の起立舌片１３と同じように、折り曲げられた起立舌片１５も、内側部分６から半径方向外側に延在しており、リブ５のコーナ領域内では、リブ５の頂点を越えて延在する舌片クリアランス部１４内にあることが分かる。これによりリブ５は半径方向に部分的に中断されており、その結果、コーナ領域内で通常は存在する最大剛性が低減されている。
【００２２】
図７は、ラミネート構造体１に固定された第１実施例の第３発展形態の断面斜視図である。第１実施例の第３発展形態および第１実施例の前に説明した変形形態並びに第１実施例自体において、互いに対応するエレメントには同じ参照符号が付してあり、さらに詳細には説明しない。図７による第１実施例の第３発展形態は第１実施例の第２発展形態とは実質的に、終端部分１７が起立部分１６に対してリブ５の方向に逆に折り曲げられておらず、該終端部分は起立部分１６の折り曲げ角度に対してフラットな、内側部分６と外側部分７が存在する平面の折り曲げ角度をもって延在している点で異なる。それにより形成されたリブ５と第１実施例の第３発展形態の終端部分１７との間の自由空間内には閉じた押圧リング１９が配置されている。この押圧リングは、リブ５の経過に追従して第２のラミネートカバー層３を後方から把持し、とりわけ折り曲げられた起立舌片１５が相応に予付勢される場合、例えば硬化の際に第２のラミネートカバー層３とリブ５との間の形状的結合（ありつぎ的結合）を促進する。
【００２３】
図８は、図７による第１実施例の第３発展形態を下方から見た図であり、リブ５の頂点を越えて延在する折り曲げられた起立舌片１５の終端部分１７が示されている。この起立舌片は第２実施例の第２発展形態に対応してリブ５のコーナ領域内にある。
【００２４】
図９は、ラミネート構造体１に固定された第１実施例の第４発展形態を図１に対応して断面斜視図に示す。第１実施例の第４発展形態および第１実施例の前に説明した発展形態並び第１実施例自体において、互いに対応するエレメントには同じ参照符号が付してあり、さらに詳細には説明しない。図９による第１実施例の第４発展形態では、基板プレート４の内側部分６が、固定ボルト８とは反対の側に突き出た係合小突起（複数）２０を有している。これらの係合小突起は、図９では基板プレート４のこの側にある第２のラミネートカバー層３にかぎ爪状（krallenartig）に係合し、これにより内側部分６と第２のラミネートカバー層３との間の接続を改善する。このことはとりわけ固定ボルト８の負荷が大きい場合に有利である。
【００２５】
図１０は、図９による第１実施例の第４発展形態を部分的に切開して下から見た平面図である。図１０から係合小突起２０はこの発展形態では、規則的にチェス盤形状にラミネート構造体１に対応する間隔の構造寸法をもって内側部分６内に配置されていることが分かる。
【００２６】
図１１は、図９と図１０による第１実施例の第４発展形態を部分切開した側面図である。この図から係合小突起２０は、ある程度の材料厚のノッチ状の隆起部によって基板プレート４から仕上げ加工されていることが分かる。
【００２７】
図１２は、ラミネート構造体１に固定された本発明による一装置の第２実施例の基板プレート４として構成された支持アセンブリを図１に対応して斜視図に示す。図１２の第２実施例、および所属の発展形態を備える図１と図２に基づき説明した第１実施例において、互いに対応するエレメントには同じ参照符号が付しており、さらに詳細には説明しない。図１２による第２実施例は、リブ構造部としてのリブ５の他に基板プレート４の剛性経過を改善するために外側部分７の領域に、リブ５と外側部分７の外縁部との間のほぼ中央に配置された補強斜面部２１を有する。この補強斜面部は外側部分７を、リブ５に隣接する中間領域２２と半径方向で外側にある縁部領域２３とに分割する。ここで中間領域２２は、基板プレート４の内側部分６も配置されている平面内に存在する。一方、縁部領域２３は、補強斜面部２１の傾斜角度のためリブ５と同じ側で、リブ５の頂点と共に１つの平面内に存在する。さらに図１２から、リブ５の隆起領域上に載置された第１のラミネートカバー層２は、内側部分６の領域に固定エレメント切欠部２４を有していることが分かる。この固定エレメント切欠部を通って図１２に図示しない固定エレメントが、第１のラミネートカバー層２により妨げられずに貫通することができる。
【００２８】
図１３は、図１２による支持アセンブリの斜視図である。図１３から補強斜面部２１は、この実施例ではここでも同様に円形の基板プレート４の外側幾何形状に対応して、実質的に矩形の周辺部を有するリブ５を中心に円形に周回していることが分かる。
【００２９】
図１４は、図１２と図１３による第２実施例を図１に対応する断面斜視図に示す。ここでは固定エレメントとして固定ボルト８が示されており、固定ボルトは本発明の装置を形成するために基板プレート４に堅固に取り付けられている。
【００３０】
第２実施例は、大きな折曲力が、リブ５により取り囲まれた固定エレメント、例えば固定ボルト８に作用する固定状況において特に適する。
【００３１】
図１５は、ラミネート構造体１に固定された、図１２から図１４に基づき説明した補強斜面部２１を有する第２実施例の第１変形形態を断面斜視図に示す。図１５による第１変形形態において固定エレメントは、基板プレート４の内側部分６から仕上げ加工された円筒状の外側スリーブ２５からワンピース（一体）に形成されており、この外側スリーブは軸方向にリブ５の頂点を越えて延在している。
【００３２】
図１６は、ラミネート構造体１に固定された第２実施例の第２変形形態を、図１に対応して断面斜視図に示す。第２実施例の第２変形形態および第２実施例の第１変形形態並びに第２実施例自体において、互いに対応するエレメントには同じ参照符号が付してあり、さらに詳細には説明しない。図１５[１６]による第２実施例の第２変形形態は、外側スリーブ２５が内側部分６とは反対側のヘッド部分２６において断面が先細（コーン状）になっており、半径方向で内側に折れ曲がる保持舌片２７により形成されており、この保持舌片は当該保持舌片２７とヘッド部分２６との間にある係止リング２８を確保する、ことを特徴とする。図１６による第２実施例の第２変形形態では、図１６に図示しない適合可能な取り付けエレメントとの係止接続のために係止リング２８が使用される。
【００３３】
図１７は、ラミネート構造体１に固定された第２実施例の第１発展形態を、図１に対応して断面斜視図に示す。第２実施例の第１発展形態および第２実施例の変形形態並びに第２実施例自体において、互いに対応するエレメントには同じ参照符号が付してあり、さらに詳細には説明しない。図１７による第２実施例の第１発展形態は、半径方向で外側に延在する複数の起立舌片２９を有し、該起立舌片は半径方向で中間領域２２の外側に形成されており、かつ補強斜面部２１に対して反対方向に、内側部分６と中間領域２２が存在する平面から折り曲げられ外に向けられている。これにより、基板プレート４のこの側に配置された第２のラミネートカバー層３との係合が、基板プレート４と第２のラミネートカバー層３との間の対応の持続的接続によって行われる。
【００３４】
図１８は、図１７による第２実施例の第１発展形態を部分切開した断面斜視図である。図１８から、図１７に示した第２のラミネートカバー層３との確実な係合を保証するために、爪舌片（起立舌片）２９が尖って延在するように構成されていることが分かる。
【００３５】
図１９は、ラミネート構造体１に固定された第２実施例の第２発展形態を断面側面図に示す。第２実施例の第２発展形態および第２実施例の第１発展形態並びに所属の変形形態を有する第２実施例自体において、互いに対応するエレメントには同じ参照符号が付してあり、さらに詳細には説明しない。図１９による第２実施例の第２発展形態は、補強斜面部２１に起立舌片３０が形成されており、該起立舌片の尖った部分は、外側部分７の縁部領域２３とリブ５の頂点が存在する平面を越えて突き出ている、ことを特徴とする。これにより、リブ５の隆起した領域上に載置していてこれとの相応の良好な接続部を備える第１のラミネートカバー層２への係合が得られる。
【００３６】
図２０は、ラミネート構造体１に固定された図１９による第２実施例の第２発展形態の斜視図である。図２０から、起立舌片３０が半径方向にリブ５のコーナ領域および固定ボルト８と面一に配置されていることが分かる。これによりこれらの軸において第１のラミネートカバー層２との特に信頼性のある接続が達成される。
【００３７】
図２１は、ラミネート構造体に固定された第２実施例の第３発展形態を図１９に対応して側面図に示す。第２実施例の第３発展形態および第２実施例の前に説明した発展形態並びに所属の変形形態を備える第２実施例自体において、互いに対応するエレメントには同じ参照符号が付してあり、さらに詳細には説明しない。第２実施例の第３発展形態では、基板プレート４に縁部領域２３の半径方向内側でリング保持舌片３１が形成されており、このリング保持舌片は、固定ボルト８とは反対の側からほぼ直角に突き出ており、半径方向で内側に開放して円弧状に湾曲しており、押圧リング３２を保持する。この押圧リング３２によりリング保持舌片３１が相応に予付勢されると、基板プレート４の固定ボルト８とは反対の側にある第２のラミネートカバー層３は補強斜面部２１に対して押圧可能である。
【００３８】
図２２は、図２１による第２実施例の第３発展形態を部分切開した断面斜視図である。図２２から、リング保持舌片３１は広範に規則的に離間して配置されており、補強斜面部２１に形成されたリング保持舌片クリアランス部３３内に存在することが分かる。
【００３９】
図２３は、ラミネート構造体１に固定された第２実施例の第４発展形態の断面斜視図である。第２実施例の第４発展形態および第２実施例の前に説明した発展形態並びに所属の変形形態を備える第２実施例自体において、互いに対応するエレメントには同じ参照符号が付してあり、さらに詳細には説明しない。図２３による第２実施例の第４発展形態は、縁部領域２３の半径方向で外側に複数の軸方向舌片３４が形成されており、この軸方向舌片は、縁部領域２３とリブ５の頂点が存在する平面から両側に直角に軸方向に離れるように延在しており、第１のラミネートカバー層２および第２のラミネートカバー層３に係合することを特徴とする。
【００４０】
図２４は、図２３による第２実施例の第４発展形態を部分切開した斜視図である。図２４から、軸方向舌片３４は周方向に交互に縁部領域２３の両側から突き出て配置されており、比較的密に離間されていることが良く分かる。これにより、まだ乾燥しているラミネートカバー層２，３における非常に良好な予固定と、ラミネート構造体１の２つのラミネートカバー層２，３における基板プレート４の最終的な固定が保証される。
【００４１】
図２５は、ラミネート構造体１に固定された第２実施例の第５発展形態の断面斜視図である。第２実施例の第５発展形態および第２実施例の前に説明した発展形態並びに変形形態を備える第２実施形態自体において、互いに対応するエレメントには同じ参照符号が付してあり、さらに詳細には説明しない。図２５による第２実施例の第５発展形態では、複数の後方把持舌片３５が設けられており、これらの後方把持舌片は縁部領域２３と接続されており、軸方向に基板プレートの固定ボルト８とは反対の側に縁部領域２３から間隔を置いて配置されている。したがって後方把持舌片３５は、基板プレート４の固定ボルト８とは反対の側に配置された第２のラミネートカバー層３を後方から把持し、これによりこのラミネートカバー層を基板プレート４からの解離に対して確保する。
【００４２】
図２６は、図２５による第２実施例の第５発展形態を斜視図に示す。図２６から、後方把持舌片３５は、周方向に同じ方向に延在しており、起立部分３６に接続された尖った終端部分３７を有しており、この終端部分３７は周方向に同じ方向に配向されていることが分かる。
【００４３】
組み立てのために図２６による本発明の装置はラミネートカバー層３の上に載置され、軽い圧力の下で回転される。その際に終端部分３７は、縦糸／緯糸（Kette/Schuss）の間の組織（Geweben）または異なって配向された少なくとも２つの層の間の繊維構造（Gelegen）においてラミネートカバー層３に入り込み（arbeitet sich ein）、縁部領域２３とラミネートカバー層３との間でアンダーカット（Hinterschnitt）を形成する。これにより本発明の装置をラミネートカバー層３の上に安定して予固定することができる。
【００４４】
図２７は、ラミネート構造体１に固定された本発明の装置の第３実施例の断面斜視図である。第３実際例および発展形態を備える前に説明した実施例並びに変形形態において、互いに対応するエレメントには同じ参照符号が付してあり、さらに詳細には説明しない。図２７による第３実施例では、支持アセンブリが２分割式に内側プレート３８と外側プレート３９とにより構成されており、これらのプレートは部分的に互いに重なって配置されている。内側プレート３８の材料厚は外側プレート３９の材料厚よりも大きい。内側プレート３８には、図１５の第２実施例の第１変形形態に対応して、中央に配置された起立スリーブ４０が形成されている。起立スリーブ４０は、半径方向に間隔を置いてリブ構造部の下側リブ４１により取り囲まれている。外側プレート３９は、半径方向内側で起立スリーブ４０に接しており、半径方向内側でリブ構造部の上側リブ４２により形成されている。この上側リブ４２は、内側プレート３８の下側リブ４１の形状に追従しており、したがって外側プレート３９が、内側プレート３８の起立スリーブ４０に向いた側に載置されると、外側プレート３９の上側リブ４２は内側プレート３８の下側リブ４１に形状的に結合される。
【００４５】
外側プレート３９は、図１２による第２実施例に対応して補強斜面部４３を有し、この補強斜面部は上側リブ４２の半径方向外側に配置されており、半径方向内側で上側リブ４２に隣接する中間領域４４を補強斜面部４３の半径方向外側にある縁部領域４５から分離する。図２７による第３実施例でも中間領域４４と縁部領域４５は、軸方向で異なる平面内に存在する。
【００４６】
図２８は、図２７による第３実施例を部分切開した断面斜視図である。図２８から、図１の第１実施例と図１４の第２実施例に対応して、内側プレート３８の下側リブ４１も、外側プレート３９の上側リブ４２も直線状の複数のリブ部分４６，４７を有しており、これらのリブ部分は実質的に同じ長さであり、対で互いに直角に配向されていることが分かる。
【００４７】
図２９は、図２７による第３実施例を部分切開平面図に示す。図２９から、図２７による第３実施例では外側プレート３９が円形に構成されており、外側プレート３９は、起立スリーブ４０が配置された側から内側プレート３８を完全に覆っていることが分かる。内側プレート３８と外側プレート３９の元々は緩い接続が、ラミネート構造体１に固定されると軸方向に堅固になる。
【００４８】
内側プレート３８と外側プレート３９は、すでに組み立ての際にいわゆるばね板ナット原理（Federmutter-Prinzip）により予固定される。ばね板ナット原理の特徴は、外側プレート３９においてリブ部分４６，４７と上方に湾曲したリブ構造部９によって実現される。この予固定は、内側プレート３８と外側プレート３９を、後でラミネート構造体１を形成する乾燥した組織層にずれないように取り付けるのにも十分である。最終的な固定は、組織層に含浸された樹脂の硬化後に行われる。
【００４９】
図３０は、第３実施例の第１発展形態を部分切開した平面図である。第３実施例の第１発展形態および第３実施例自体において、互いに対応するエレメントには同じ参照符号が付してあり、さらに詳細には説明しない。図３０による第３実施例の第１発展形態は、外側プレート３９の上側リブ４２のリブ部分４７のコーナ領域にそれぞれ１つの確保舌片４８を接続構造部として有しており、この確保舌片は、下側リブ４１に形成された確保舌片クリアランス部４９内に配置されており、半径方向で内側に突き出ている。ここで確保舌片４８は、外側プレート３９の中間領域４４の平面内にあり、内側プレート３８の下側リブ４１の半径方向外側の縁部を後方から把持する。
【００５０】
図３１は、今やラミネート中間層６３を有するラミネート構造体１に固定された図３０の第３実施例の第１発展形態を断面側面図に示す。ラミネート中間層６３は、内側プレート３８と外側プレート３９の間に配置されており、外側プレート３９の半径方向外側でラミネートカバー層２，３と接続されている。ラミネート中間層６３は、乾燥状態でラミネート構造体１を形成する際の取り扱いを容易にするために用いられ、内側プレート３８の縁部領域での固定と、固定エレメント４０とは反対の側のラミネートカバー層３への内側プレート３８の接続を改善する。さらに図３１から、確保舌片４８は、内側プレート３８の材料厚のほぼ半分である、内側プレート３８の下側リブ４１の外側縁部を後方から把持することが分かる。これにより内側プレート３８と外側プレート３９は、ラミネート構造体１の外部においても、確保舌片４８が後方把持されるまで内側プレート３８が外側プレート３９に対して押し付けられることによって接続される。これによりラミネート構造体１に固定する際に、本発明の２分割式の一装置の簡単な取り扱いが得られる。
【００５１】
図３２は、ラミネート構造体１に固定された第３実施例の第２発展形態を断面斜視図に示す。第３実施例の第２発展形態および第３実施例の第１発展形態並びに第３実施例自体において、互いに対応するエレメントには同じ参照符号が付しており、さらに詳細には説明しない。図３２による第３実施例の第２発展形態は、内側プレート３８の半径方向外側に形成された接続構造部の受け入れウェブ５０を有しており、この受け入れウェブは内側プレート３８の起立スリーブ４０とは反対の側で下側リブ４１から離れるように延在している。外側プレート３９には接続構造部の受け入れ舌片５１が形成されており、この受け入れ舌片は、半径方向外側で縁部領域４５と接続されており、縁部流域４５、補強斜面部４３および中間領域４４から間隔を置いてこれらの輪郭に追従し、半径方向で内側に受け入れウェブ５０の方向に延在し、受け入れウェブ５０に係合している。ここで上側リブ４２の方向に曲げ出された終端部分５２が受け入れウェブ５１に形成されており、この終端部分はさらに受け入れウェブ５０を超えて半径方向で内側に突き出ている。
【００５２】
図３２から、受け入れ舌片５１は、外側プレート３９の起立スリーブ４０とは反対の側に載置する第２のラミネートカバー層３を後方から把持し、終端部分５２は第２のラミネートカバー層３に係合することが分かる。これによりラミネート構造体１での確実な固定が保証される。
【００５３】
図３３は、図３２による第３実施例の第２発展形態における内側プレート３８を斜視図に示す。図３３から、受け入れウェブ５０の自由端部は矢印先端の形に先細に構成されており、内側プレート３８のリブ部分４６においてコーナ領域の間の中央に成形されており、かつそれぞれスリット状の受け入れ切欠部５３をそれぞれの受け入れ舌片５１に対して有することが分かる。ここで受け入れ切欠部５３は下側リブ４１に対して平行に延在しており、周方向にそれぞれ同じ側で開放しており、これにより受け入れ舌片５１を、受け入れウェブ５０でのスライドを介して強要される折れ曲がりと、引き続く受け入れ切欠部５３へのスナップインにより導入することができる。
【００５４】
図３４は、図３２による第３実施例の第２発展形態における外側プレート３９を斜視図に示す。図３４から、受け入れ舌片５１はそれぞれの接続部分５４を介して縁部領域４５と接続されており、弛緩された配置では外側プレート３９の輪郭に対して平行に間隔を置いて半径方向に配置されていることが分かる。
【００５５】
図３５は、図３２による第３実施例の第２発展形態を部分切開した斜視図である。図３５から、内側プレート３８と外側プレート３９とが組み合わされたアセンブリでは、受け入れ舌片５１が軸方向に遊び無しで受け入れ切欠部５３内に配置されており、該当する受け入れ切欠部５３の閉鎖壁に面一で当接していることが分かる。これにより内側プレート３８は非常に安定するが、しかし場合により脱着可能にも外側プレート３９と接続される。
【００５６】
図３６は、ラミネート構造体１に固定された本発明の一装置の第４実施例の断面斜視図である。第４実施例および前に説明した実施例の前に説明した発展形態並びに変形形態を備えるこれらの実施例自体において、互いに対応するエレメントには同じ参照符号が付してあり、さらに詳細には説明しない。図３６による第４実施例は、第３実施例に対応して同様に、内側プレート５５と半径方向に外に向かって内側プレート５５を超えて突き出た外側プレート５６とを備える２分割式の支持アセンブリを有するが、外側プレートはここでは同じ材料厚を有する。図３６による第４実施例では、固定エレメントが起立スリーブ５７の形態で外側プレート５６に形成されている。起立スリーブ５７から半径方向に間隔を置いて外側プレート５６は上側リブ５８により形成されており、この上側リブは外側プレート５６のその他の領域よりも起立スリーブ５７と同じ方向に隆起している。上側リブ５８の半径方向外側では外側プレート５６が平坦に構成されている。
【００５７】
内側プレート５５は下側リブ５９により形成されており、この下側リブは、内側プレート５５の平坦な中央領域の外側にあり、内側プレートが外側プレート５６の上側リブ５８の外輪郭に追従するよう構成されている。下側リブ５９の半径方向外側では内側プレート５５が接続構造部の複数の折り返し舌片６１により形成されている。これらの折り返し舌片は、図３６のアセンブリでは上側リブ５８の半径方向外側で外側プレート５６に形成された接続構造部の差込切欠部６２によって完全に把持（durchgreifen）され、かつ内側プレート５５とは反対の側の外側プレート５６に当接しながら、半径方向内側に向かって上側リブ５８を指向するように配置されている。図３６のアセンブリでは、第１のラミネートカバー層２と第２のラミネートカバー層３との間にラミネート構造体１のラミネート中間層６３が挿入されている。このラミネート中間層は内側プレート５５と外側プレート５６の間に配置されており、このラミネート中間層を通して折り返し舌片６１は接続部分６４をもって完全に把持する。
【００５８】
図３７は、図３６による第４実施例の内側プレート５５の斜視図である。図３７によれば、折り返し舌片６１が規則的な間隔で内側プレート５５の外縁部に沿って配置されており、先細に先端に向かう終端部分により形成されていることが分かる。これによりラミネート中間層６３は非常に簡単に穿孔される。
【００５９】
図３８は、図３６による第４実施例の外側プレート５６の斜視図である。図３８によれば、外側プレート５６は内側プレート５５の折り返し舌片６１の数に対応する数の差込切欠部６２を有しており、この差込切欠部は、上側リブ５８と外側プレート５６の外縁部との間にあり、折り返し舌片６１の遊びの無いまたは実質的に遊びの無い受け入れのために位置決めされ、寸法設定されていることが分かる。
【００６０】
図３６から図３８に基づき説明した４つの実施例は、内側プレート５５と外側プレート５６から成る複合体が、ラミネートカバー層２，３と共にラミネート構造体１へと完成される前にラミネート中間層６３に予固定可能であることを特徴とする。
【００６１】
リブ５の頂点の半径方向で内側に形成された構造体、すなわち例えば直線状の起立舌片１３、角度の付された起立舌片１５または係合小突起２０は、リブ５の半径方向で外側にある爪舌片２９、起立舌片３０、リング保持舌片３１、軸方向舌片３４または後方把持舌片３５のような特徴と、本発明の図示しない変形形態のために組み合わせることができることが理解される。これにより、本発明の装置の直径全体にわたって、ラミネートカバー層２，３との良好な接着およびひいてはラミネートカバー層２，３のまだ乾燥状態における予固定、およびラミネート構造体１における最終的な固定が達成される。
【符号の説明】
【００６２】
１  ラミネート構造体
２，３  ラミネートカバー層
４  基板プレート
４，３８，３９，５５，５６  支持アセンブリ
５  リブ
５，４１，４２，５８，５９  リブ構造部
６  内側部分
７  外側部分
８  固定ボルト
８，２５，４０，５７  固定エレメント
９，１０，１１，１２  リブ部分
１３  起立舌片
１４  舌片クリアランス部
１５  起立舌片
１６  起立部分
１７  終端部分
１９，３２  押圧リング
２０  係合小突起
２１  補強斜面部
２２  中間領域
２３  縁部領域
２４  固定エレメント切欠部
２５  外側スリーブ
２６  ヘッド部分
２７  保持舌片
２８  係止リング
２９  起立舌片（爪舌片）
３０  起立舌片
３１  リング保持舌片
３３  リング保持舌片クリアランス部
３４  軸方向舌片
３５  後方把持舌片
３６  起立部分
３７  終端部分
３８  内側プレート
３９  外側プレート
４０  起立スリーブ
４１  下側リブ
４２  上側リブ
４３  補強斜面部
４４  中間領域
４５  縁部領域
４６，４７  リブ部分
４８  確保舌片
４９  確保舌片クリアランス部
５０  受け入れウェブ
５１  受け入れ舌片
５２  終端部分
５３  受け入れ切欠部
５４  接続部分
５５  内側プレート
５６  外側プレート
５７  起立スリーブ
５８  上側リブ
５９  下側リブ
６０  中央領域
６１  折り返し舌片
６２  差込切欠部
６３  ラミネート中間層
６４  接続部分
【図１】
2017514072.tif 000003
【図２】
2017514072.tif 000004
【図３】
2017514072.tif 000005
【図４】
2017514072.tif 000006
【図５】
2017514072.tif 000007
【図６】
2017514072.tif 000008
【図７】
2017514072.tif 000009
【図８】
2017514072.tif 000010
【図９】
2017514072.tif 000011
【図１０】
2017514072.tif 000012
【図１１】
2017514072.tif 000013
【図１２】
2017514072.tif 000014
【図１３】
2017514072.tif 000015
【図１４】
2017514072.tif 000016
【図１５】
2017514072.tif 000017
【図１６】
2017514072.tif 000018
【図１７】
2017514072.tif 000019
【図１８】
2017514072.tif 000020
【図１９】
2017514072.tif 000021
【図２０】
2017514072.tif 000022
【図２１】
2017514072.tif 000023
【図２２】
2017514072.tif 000024
【図２３】
2017514072.tif 000025
【図２４】
2017514072.tif 000026
【図２５】
2017514072.tif 000027
【図２６】
2017514072.tif 000028
【図２７】
2017514072.tif 000029
【図２８】
2017514072.tif 000030
【図２９】
2017514072.tif 000031
【図３０】
2017514072.tif 000032
【図３１】
2017514072.tif 000033
【図３２】
2017514072.tif 000034
【図３３】
2017514072.tif 000035
【図３４】
2017514072.tif 000036
【図３５】
2017514072.tif 000037
【図３６】
2017514072.tif 000038
【図３７】
2017514072.tif 000039
【図３８】
2017514072.tif 000040
【手続補正書】
【提出日】平成28年10月3日(2016.10.3)
【手続補正１】
【補正対象書類名】明細書
【補正対象項目名】０００６
【補正方法】変更
【補正の内容】
【０００６】
この課題は、冒頭に述べた形式の装置において本発明により、請求項１の特徴部分によって解決される。
本発明によれば、以下の形態が可能である。
（形態１）少なくとも２つの層を備え、かつ支持アセンブリを備えるラミネート構造体に、長手方向に延在する少なくとも１つの固定エレメントを固定するための装置であって、前記支持アセンブリとは前記固定エレメントが遊び無しで結合されており、該支持アセンブリはラミネート構造体の２つの層の間に配置するように構成されている装置において、前記支持アセンブリは、前記少なくとも１つの固定エレメントを半径方向外側で少なくとも部分的に周方向に取り囲む突き出たリブ構造部を有する装置が提供される。
（形態２）前記リブ構造部は、互いに角度を成して配向された直線状の複数のリブ部分を有しており、該リブ部分は周方向に延在していることが好ましい。
（形態３）前記リブ構造部は、少なくとも１つの固定エレメントを周回して閉鎖するよう取り囲んでいることが好ましい。
（形態４）前記支持アセンブリは、リブ構造部の半径方向外側に補強斜面部を有しており、該補強斜面部によってリブ構造部に隣接する支持アセンブリの中間領域と該中間領域の半径方向で外側にある縁部領域とは異なる平面に配置されていることが好ましい。
（形態５）前記支持アセンブリは、ワンピースの基板プレートにより形成されていることが好ましい。
（形態６）前記支持アセンブリは、固定エレメントが接続された内側プレートと、該内側プレートを半径方向外側で取り囲み、部分的に該内側プレートと重なる外側プレートとによって形成されていることが好ましい。
（形態７）前記内側プレートと前記外側プレートは、それぞれ１つの上側リブと下側リブを有しており、該上側リブと下側リブは共にリブ構造部を形成することが好ましい。
（形態８）前記内側プレートと前記外側プレートは、軸方向に互いに間隔を置いて配置可能であることが好ましい。
（形態９）前記内側プレートと前記外側プレートは、接続構造部を介して互いに接続可能であることが好ましい。
（形態１０）前記接続構造部は、外側プレートに形成された受け入れ舌片によって形成されており、該受け入れ舌片は半径方向で内側に突き出ており、かつ前記内側プレートを後方から把持することが好ましい。
（形態１１）前記接続構造部は、内側プレートに形成され、かつ軸方向に突き出た受け入れウェブを有しており、該受け入れウェブには外側プレートに形成されたそれぞれ１つの受け入れ舌片が係合することが好ましい。
（形態１２）前記接続構造部は、複数の折り返し舌片および該折り返し舌片の数に対応する数の差込切欠部を有することが好ましい。
（形態１３）前記支持アセンブリは、軸方向に突き出る起立舌片を有することが好ましい。
（形態１４）前記支持アセンブリは、軸方向に突き出ており規則的に配置された係合小突起を有することが好ましい。
（形態１５）前記支持アセンブリは、押圧リングを固定するために複数の固定舌片を有することが好ましい。
（形態１６）前記少なくとも１つの固定エレメントは、軸方向に突き出るよう構成されていることが好ましい。
なお、特許請求の範囲に付記した図面参照番号はもっぱら理解を助けるためであり、図示の態様に限定することを意図するものではない。
【国際調査報告】
2017514072.tif 000041
2017514072.tif 000042
2017514072.tif 000043
2017514072.tif 000044
2017514072.tif 000045
2017514072.tif 000046